(57)【要約】【課題】簡易な構造で、建物への後付けを容易にしながら、入室者によって玄関へ持ち込まれる花粉等を低減できる花粉除去装置を提供する。【解決手段】花粉除去装置１１において、玄関開口枠３３の設けられる外壁３５に取り付けられる筐体１５と、筐体１５に設けられ筐体内外を通じさせる吸気口１７と、筐体１５に設けられ筐体内の空気を玄関扉外側の戸先近傍に送出する送風機１９と、送風機１９に設けられ送出される空気を電離して正・負イオンを生成する静電気除去装置２１と、玄関に入る入室者が携帯するＩＣタグ２３と、玄関扉１３の開閉を検出する扉開閉検出器と、筐体１５に設けられＩＣタグ２３の接近を検出することで送風機１９および静電気除去装置２１を作動させるとともに扉開閉検出器からの開扉検出信号を検出することで送風機１９および静電気除去装置２１の作動を停止させる制御装置と、を設けた。【選択図】  図１
2015216047.tif 000002
【特許請求の範囲】
【請求項１】
玄関扉、前記玄関扉とで親子扉となる子扉、または玄関開口枠の設けられる外壁のいずれかに取り付けられる筐体と、
前記筐体に設けられ筐体内外を通じさせる吸気口と、
前記筐体に設けられ筐体内の空気を玄関扉外側の戸先近傍に送出する送風機と、
前記送風機に設けられ送出される前記空気を電離して正・負イオンを生成する静電気除去装置と、
玄関に入る入室者が携帯する無線通信機と、
前記玄関扉の開閉を検出する扉開閉検出器と、
前記筐体に設けられ前記無線通信機の接近を検出することで前記送風機および前記静電気除去装置を作動させるとともに前記扉開閉検出器からの開扉検出信号を検出することで前記送風機および前記静電気除去装置の作動を停止させる制御装置と、
を具備することを特徴とする花粉除去装置。
【請求項２】
請求項１記載の花粉除去装置であって、
前記筐体が、前記玄関扉の戸先に沿って上下方向に延在して前記外壁に取り付けられることを特徴とする花粉除去装置。
【請求項３】
請求項１記載の花粉除去装置であって、
前記筐体が、前記子扉に設けられることを特徴とする花粉除去装置。
【請求項４】
請求項１記載の花粉除去装置であって、
前記筐体が、前記玄関扉の戸先側に設けられることを特徴とする花粉除去装置。
【請求項５】
請求項１，２，３，４のいずれか１つに記載の花粉除去装置であって、
前記吸気口に、花粉等を捕捉するフィルタが取り付けられていることを特徴とする花粉除去装置。
【請求項６】
請求項１〜５のいずれか１つに記載の花粉除去装置であって、
前記送風機および前記静電気除去装置の作動を開始させる作動開始器が屋内に設けられていることを特徴とする花粉除去装置。
【請求項７】
請求項１〜６のいずれか１つに記載の花粉除去装置であって、
屋外にインターホン子機が設置され、
前記インターホン子機の呼出ボタンの操作にて、少なくとも前記静電気除去装置が作動されることを特徴とする花粉除去装置。
【発明の詳細な説明】
【技術分野】
【０００１】
本発明は、屋外から家屋内に入る際の着衣等に付着した花粉を除去する花粉除去装置に関する。
【背景技術】
【０００２】
入室者に付着した花粉等を屋内に持ち込まないように効果的に除去する花粉除去装置が提案されている（例えば特許文献１参照）。同文献に開示の花粉除去装置は、通路の出入り口に、密閉可能な花粉除去室を設ける。この花粉除去室内には、イオン化した空気を供給することにより、静電気除去領域を形成する静電気除去手段を設ける。また、花粉除去室内には、静電気除去領域の空気を吸引するとともに、静電気除去領域において、静電気が除去されることにより、着衣等から遊離した花粉等を捕捉する空気清浄手段を設ける。
【０００３】
この花粉除去装置によれば、外部から家屋内に入って来た人が、花粉除去室内に入り、花粉除去室を密閉して、静電気除去手段と空気清浄手段とを作動させると、静電気除去手段から供給されるプラスイオンとマイナスイオンとにイオン化された空気（正・負イオン）が、静電気除去領域内において、着衣に付着した花粉等に当たる。正・負イオンが当たることにより、花粉等に帯電した静電気が除去され、静電気により着衣に吸着されていた花粉等は、着衣から遊離する。着衣から遊離した花粉等は、静電気除去領域内の空気とともに、空気清浄手段に吸引され、そこで捕捉される。
従って、この花粉除去装置によれば、外部から家屋内に入って来た人の着衣に付着している花粉等を、集中的、かつ効果的に除去することが可能となる。
【先行技術文献】
【特許文献】
【０００４】
【特許文献１】特開２００６−３１２１４２号公報
【発明の概要】
【発明が解決しようとする課題】
【０００５】
しかしながら、上記従来の花粉除去装置は、密閉空間を画成する花粉除去室の構築が必要となる。そのため、施工は、建築工事を伴う大掛かりなものとなる。これに加え、集合住宅等の場合には、花粉除去室の設置スペースの確保が困難となって、花粉除去室が設置できないこともある。また、花粉除去室を設置することから、花粉除去室内の静電気除去領域において、着衣等から遊離した花粉等を捕捉して再付着を防止するための空気清浄手段を設けなければならない。これによっても、設備が大掛かりとなるおそれがある。
【０００６】
本発明は上記状況に鑑みてなされたもので、その目的は、花粉除去室や空気清浄手段を用いない簡易な構造で、建物への後付けを容易にしながら、玄関入室者によって玄関へ持ち込まれる花粉等を低減できる花粉除去装置を提供することにある。
【課題を解決するための手段】
【０００７】
次に、上記の課題を解決するための手段を、実施の形態に対応する図面を参照して説明する。
本発明の請求項１記載の花粉除去装置１１は、玄関扉１３、前記玄関扉１３とで親子扉２９となる子扉３１、または玄関開口枠３３の設けられる外壁３５のいずれかに取り付けられる筐体１５と、
前記筐体１５に設けられ筐体内外を通じさせる吸気口１７と、
前記筐体１５に設けられ筐体内の空気を玄関扉外側の戸先近傍に送出する送風機１９と、
前記送風機１９に設けられ送出される前記空気を電離して正・負イオンを生成する静電気除去装置２１と、
玄関に入る入室者４１が携帯する無線通信機２３と、
前記玄関扉１３の開閉を検出する扉開閉検出器２５と、
前記筐体１５に設けられ前記無線通信機２３の接近を検出することで前記送風機１９および前記静電気除去装置２１を作動させるとともに前記扉開閉検出器２５からの開扉検出信号を検出することで前記送風機１９および前記静電気除去装置２１の作動を停止させる制御装置２７と、
を具備することを特徴とする。
【０００８】
この花粉除去装置１１では、無線通信機２３を携帯している入室者４１が玄関扉１３の近傍に立つと、制御装置２７が入室者４１の接近を検出する。制御装置２７は、この入室者４１の検出によって送風機１９および静電気除去装置２１を作動させる。静電気除去装置２１が作動すると、高電圧電源によって放電電極に高電圧が印加される。高電圧が印加されると、放電電極と接地電極間でコロナ放電が発生して空気が電離され、正・負イオンが生成される。このうち除電に必要なイオンは、帯電物体の電界による帯電物体方向のクーロン力の働きと、送風機の送出とによって帯電物体まで輸送される。これにより、帯電物体上の電荷が中和（除電）される。除電に必要なイオンが帯電物体上に到達することで、衣服や身体の静電気と花粉等の静電気とが除去される。その結果、花粉等は、衣服や身体に吸着する力が無くなり、小さな風の力によっても容易に落とせるようになる。
付着していた花粉等が低減された入室者４１が玄関扉１３を開くと、扉開閉検出器２５が開扉を検出し、この開扉検出信号が制御装置２７へ送られる。制御装置２７は、開扉検出信号の入力によって送風機１９および静電気除去装置２１の作動を停止させる。これにより、花粉等の低減された入室者４１のみが玄関へ入室した後、玄関扉１３が閉められ、玄関への花粉等の侵入が効果的に阻められ抑制される。
【０００９】
本発明の請求項２記載の花粉除去装置１１は、請求項１記載の花粉除去装置１１であって、
前記筐体１５が、前記玄関扉１３の戸先３７に沿って上下方向に延在して前記外壁３５に取り付けられることを特徴とする。
【００１０】
この花粉除去装置１１では、筐体１５が戸先３７に沿って上下方向に延在していることで、起立する入室者４１の頭部から足までの全身に亘ってまんべんなく正・負イオンの吹きつけが可能となる。これにより、送風機１９から送られる風の力を小さくでき、入室者４１への不快感を軽減させることができる。
【００１１】
本発明の請求項３記載の花粉除去装置４９は、請求項１記載の花粉除去装置１１であって、
前記筐体が、前記子扉３１に設けられることを特徴とする。
【００１２】
この花粉除去装置４９では、玄関扉１３が親子扉２９である場合、既存の子扉３１が筐体の設置対象となる。子扉３１への設置は、筐体を子扉３１に後付けしてもよく、筐体を組み込んだ新規の子扉３１、或いは筐体を兼ねた構造とした新規の子扉３１を、既存の子扉３１と交換してもよい。
【００１３】
本発明の請求項４記載の花粉除去装置１１は、請求項１記載の花粉除去装置１１であって、
前記筐体が、前記玄関扉１３の戸先側に設けられることを特徴とする。
【００１４】
この花粉除去装置１１では、玄関扉１３が、筐体の設置対象となる。玄関扉１３への設置は、筐体を玄関扉１３の戸先部分に後付けしてもよく、筐体を戸先に組み込んだ新規の玄関扉を、既存の玄関扉１３と交換してもよい。
【００１５】
本発明の請求項５記載の花粉除去装置１１は、請求項１，２，３，４のいずれか１つに記載の花粉除去装置１１であって、
前記吸気口１７に、花粉等を捕捉するフィルタが取り付けられていることを特徴とする。
【００１６】
この花粉除去装置１１では、送風機１９が駆動されると、筐体１５内の空気が筐体外部へ吹き出され、筐体１５内が負圧となる。その結果、吸気口１７からは、外部の空気が流入する。この際、外部から流入する空気は、フィルタを通過することとなり、その空気に含まれている花粉等がフィルタによって捕捉される。これにより、清浄となった空気が筐体内空気搬送空間に取り込まれる。
【００１７】
本発明の請求項６記載の花粉除去装置１１は、請求項１〜５のいずれか１つに記載の花粉除去装置１１であって、
前記送風機１９および前記静電気除去装置２１の作動を開始させる作動開始器が屋内に設けられていることを特徴とする。
【００１８】
この花粉除去装置１１では、在室者が居る場合、入室者４１の来訪を知った在室者により、送風機１９および静電気除去装置２１が手動で作動される。これにより、無線通信機２３を携帯しない入室者４１に対しても、付着した花粉等の除去が行えるようになる。
【００１９】
本発明の請求項７記載の花粉除去装置１１は、請求項１〜６のいずれか１つに記載の花粉除去装置１１であって、
屋外にインターホン子機３９が設置され、
該インターホン子機３９の呼出ボタン４７の操作にて、少なくとも前記静電気除去装置２１が作動されることを特徴とする。
【００２０】
この花粉除去装置１１では、無線通信機２３を携帯しない入室者４１がインターホン子機３９の呼出ボタン４７を押下すると、少なくとも静電気除去装置２１が作動開始される。この場合、在室者は、インターホン親機で応対するが、このインターホン親機の通話ボタン４５による応答開始で、送風機１９を作動させるなどする。これにより、除電と、風とによる花粉等の除去が、段階的に行われ、無駄な電力の消費を抑制しながら、効率的な花粉等の除去が可能となる。なお、通話ボタン４５が押下されない場合、すなわち在室者不在等留守の場合には、タイマーによって所定時間後に、静電気除去装置２１の動作が自動停止されることとする。
【発明の効果】
【００２１】
本発明に係る請求項１記載の花粉除去装置によれば、花粉除去室や空気清浄手段を用いない簡易な構造で、玄関からの入室者により持ち込まれる花粉等を低減できる。また、簡易な構造であることから新設建物への設置のみならず既設の住宅や建物への後付けも容易にすることができる。
【００２２】
本発明に係る請求項２記載の花粉除去装置によれば、入室者に付着した全身の花粉等を効率よく除去できる。
【００２３】
本発明に係る請求項３記載の花粉除去装置によれば、玄関扉が親子扉である場合、子扉を設置対象にして、建物への追加施工を不要にできる。
【００２４】
本発明に係る請求項４記載の花粉除去装置によれば、玄関扉を設置対象にして、建物への追加施工を不要にしながら、入室者に付着した全身の花粉等を効率よく除去できる。
【００２５】
本発明に係る請求項５記載の花粉除去装置によれば、予め花粉等を除去した清浄な空気を正・負イオンとともに入室者に吹き付けることができる。
【００２６】
本発明に係る請求項６記載の花粉除去装置によれば、無線通信機を携帯していない入室者に対し、在室者が手動で送風機および静電気除去装置を作動させることができる。
【００２７】
本発明に係る請求項７記載の花粉除去装置によれば、無線通信機を携帯していない入室者に対し、手動操作を行うことなく、静電気除去装置を自動で作動させることができる。
【図面の簡単な説明】
【００２８】
【図１】本発明の実施形態に係る花粉除去装置を玄関扉とともに表した斜視図である。
【図２】図１に示した花粉除去装置のブロック図である。
【図３】図１に示した花粉除去装置の動作を説明するフローチャートである。
【図４】入室者が玄関扉に接近したときの動作説明図である。
【図５】入室者が玄関扉を開いたときの動作説明図である。
【図６】子扉に花粉除去装置が設けられる変形例の正面図である。
【図７】図６の平断面図である。
【発明を実施するための形態】
【００２９】
以下、本発明に係る実施形態を図面を参照して説明する。
図１は本発明の実施形態に係る花粉除去装置１１を玄関扉１３とともに表した斜視図、図２は図１に示した花粉除去装置１１のブロック図である。
本実施形態に係る花粉除去装置１１は、筐体１５と、吸気口１７と、送風機１９と、静電気除去装置２１と、無線通信機２３と、扉開閉検出器２５と、制御装置２７と、を有する。なお、本明細書中に記載の「除去」とは、完全に取り除かれるという意味だけではなく、使用上において支障にならない程度のものは許容する、例えば低減や抑制、軽減等の意味も含む。
【００３０】
筐体１５は、玄関扉１３、玄関扉１３とで親子扉２９（図６参照）となる子扉３１、または玄関開口枠３３の設けられる外壁３５のいずれかに取り付けられる。本実施形態において、筐体１５は、玄関扉１３の横の外壁３５に設けられる。筐体１５は、戸建て住宅、集合住宅、病院の出入口、商業施設の出入口等に設置することができる。
【００３１】
筐体１５は、玄関扉１３の戸先３７に沿って上下方向に延在して外壁３５に取り付けられる。筐体１５は、外壁３５に取り付けられる場合、例えば金属板をプレス加工することで柱状に形成される。本実施形態において、筐体１５は、例えば外壁３５と、床とに、固定ボルト、アンカ等によって倒れ止めされて自立する。
本実施形態では、筐体１５の上下方向の中央部位に、インターホン子機３９が設けられている。インターホン子機３９は、室内に設けられるインターホン親機（図示略）と双方向の通信を可能とする。インターホン親機とインターホン子機３９とは、有線、無線のいずれで交信されてもよい。また、この筐体１５には、後述する制御装置２７が設けられる。なお、この筐体１５の設置される位置としては、玄関扉１３の側部外壁面に通常設けられるインターホン子機の位置に重合する位置が好ましく、この子機の替わりとなって上記インターホン子機３９が接続配置される。
【００３２】
吸気口１７は、筐体１５に設けられ、筐体内外を通じさせる。送風機１９によって筐体１５内の空気は送出されるため、吸気が必要となる。この他、花粉除去装置１１は、直接、またはエアダクト等を用いて、室内の空気を吸気して室外へ送出してもよい。この場合、吸気口１７は不要となる。筐体１５に設けられる吸気口１７は、筐体１５の下部に設けることができる。この他、吸気口１７は、筐体１５の上部や側部に設けてもよい。
【００３３】
また、花粉除去装置１１は、筐体１５に吸気口１７が設けられる場合、吸気口１７には花粉等を捕捉するフィルタ（図示略）が取り付けられる。これにより、花粉除去装置１１は、送風機１９から送出される空気を、花粉等を低減させた、より清浄なものとすることができる。なお、本明細書中、「花粉等」とは、花粉、１０μｍ以下の粒である浮遊粒子状物質（ＳＰＭ）、微小粒子状物質（ＰＭ２．５）を含むものとする。
【００３４】
送風機１９は、筐体１５に設けられ筐体１５内の空気を玄関扉外側の戸先近傍に送出する。送風機１９は、モータと送風ファンのみを備えるものであってもよいが、正・負イオンを発生させる静電気除去装置２１と一体のものであってもよい。つまり、正・負イオンが出る送風機１９とすることができる。この送風機１９としては、高い電圧を加えることで空気分子をイオン化する電圧印加式静電気除去装置を用いることができる。静電気除去装置２１と一体の送風機１９によれば、衣服や身体に帯電した静電気で付着した花粉等を、イオンの風で落とすことができる。送風機１９は、円形のものを筐体１５の上下方向に複数配置してもよく、シロッコファンなどを縦に配置してもよい。いずれの場合も、起立した入室者４１（図４参照）の全身に効率よく正・負イオンが当てられる空気の吹き出し分布が形成される。
【００３５】
静電気除去装置２１は、送風機１９に設けられ、送出される空気を電離して正・負イオンを生成する。静電気除去装置２１は、送風機１９と一体のものとすることで、花粉除去装置１１をコンパクト化できる。静電気除去装置２１は、高い電圧を加えることで空気分子を電離して正・負イオンを生成する。従って、正・負イオンは、イオン化された空気としても扱える。本実施形態では、送風機１９と静電気除去装置２１が一体のものを用いるが、送風機１９と静電気除去装置２１は、別体であってもよい。この場合、静電気除去装置２１は、送風機１９における空気搬送方向の上流側、下流側のいずれに配置されてもよい。静電気除去装置２１は、送風機１９の上流側に配置される場合、送風機１９へ向かう吸気を電離して正・負イオンを生成し、また送風機１９の下流側に配置される場合、送風機１９から送出される空気である排気を電離して正・負イオンを生成する。生成された正・負イオンは、送風機１９にて送出とともに搬送される。
【００３６】
静電気除去装置２１は、高電圧電源によって放電電極に高電圧が印加される。高電圧が印加されると、放電電極と接地電極間でコロナ放電が発生して空気が電離され、正・負イオンが生成される。この正・負イオン化された空気が、帯電物体の電界による帯電物体方向のクーロン力の働きと、送風機１９の送出とによって帯電物体まで輸送される。より正確には、先ず、正・負イオンを入室者４１に当ててから、後から送風機１９によって風を浴びせることとなる。予め正・負イオンを当てておくことで、帯電物体上の電荷が中和（除電）され、衣服や身体の静電気と花粉等の静電気とが除去される。その結果、花粉等は、衣服や身体に吸着する力が無くなって遊離し、少しの風で花粉等が落ちることとなる。なお、正・負イオンを頭上から浴びせると、頭と肩だけに正・負イオンが当たることになってしまう。入室者４１の正面にも多くの花粉等が付着していると思われることから、本実施形態に係る花粉除去装置１１のように、上下方向に配置した複数の送風機１９によって、入室者４１の正面から正・負イオンを吹きつける（浴びせる）ことが、花粉等の除去にはより効果的となる。
【００３７】
無線通信機２３は、玄関に入る入室者４１が携帯する。無線通信機２３は、制御装置２７に接続される無線受信機４３によって検出される。無線通信機２３は、例えば、近接スイッチ、リモコンタグキー（ＩＣタグ）、携帯電話、非接触式カードや接触式カード等とすることができる。無線通信機２３が接触式カードの場合、無線受信機４３は接触式カードリーダーとして構成する。入室者４１が無線通信機であるＩＣタグ２３を身につけて、玄関扉１３に近づくと、筐体１５に設けられている無線受信機４３がこれを検出する。ＩＣタグ２３を検出した制御装置２７は、送風機１９および静電気除去装置２１を自動で作動させる。このため、ＩＣタグ２３を持っている人に対しては必ず正・負イオンが浴びせられることになる。これに対し、ＩＣタグ２３を持っていない例えば宅配便の集配人等には正・負イオンを浴びせることはない。
【００３８】
扉開閉検出器２５は、玄関扉１３の開閉を検出する。扉開閉検出器２５は、例えば玄関開口枠３３と玄関扉１３とに対で設けられる近接スイッチとすることができる。制御装置２７は、この扉開閉検出器２５からの開扉検出信号を検出すると、送風機１９および静電気除去装置２１の動作を停止する。すなわち、入室者４１が、ドアレバー、ドアノブ、ハンドルなどの扉開閉用の操作部材５１に手をかけ、開扉操作を行うと、扉開閉検出器２５が作動し、今まで運転していた送風機１９および静電気除去装置２１が停止する。
【００３９】
制御装置２７は、筐体１５に設けられＩＣタグ２３の接近を検出することで送風機１９および静電気除去装置２１を作動させる。制御装置２７には、無線受信機４３が接続される。無線受信機４３は、好ましくは指向性を有したものが用いられる。これにより、室内より玄関扉１３に接近するＩＣタグ２３は、検出しないようになっている。
【００４０】
制御装置２７は、インターフェース、ＣＰＵ、ＲＡＭ、ＲＯＭを備えたコンピュータとすることができる。コンピュータは、インターフェースを介して無線受信機４３、扉開閉検出器２５、タイマー、およびインターホン親機に接続される。ＲＯＭには、送風機１９、静電気除去装置２１の制御手順を実行させるプログラムが格納される。このプログラムによって、制御装置２７は、ＩＣタグ２３が近づき、且つ扉開閉検出器２５がＯＦＦ、すなわち閉扉中のとき、送風機１９および静電気除去装置２１を作動させる。また、制御装置２７は、送風機１９および静電気除去装置２１の運転中に、扉開閉検出器２５からの開扉検出信号を検出、すなわち開扉となると、送風機１９および静電気除去装置２１の作動を停止させる。なお、制御装置２７は、室内から玄関扉１３を開けた場合には、先に扉開閉検出器２５が開扉されたことを検出し、このあとでＩＣタグ２３を検知しても、送風機１９および静電気除去装置２１を作動させないように制御を行う。
【００４１】
また、花粉除去装置１１は、送風機１９および静電気除去装置２１の作動を開始させる作動開始器が室内に設けられていてもよい。この作動開始器は、インターホン親機の通話ボタン４５とされる。これにより、花粉除去装置１１は、室内からも送風機１９および静電気除去装置２１の制御ができるようになる。
【００４２】
花粉除去装置１１は、屋外にインターホン子機３９が設置され、インターホン子機３９の呼出ボタン４７の開閉接点が、少なくとも静電気除去装置２１を作動させる制御装置２７の強制作動回路に接続される構成としてもよい。ＩＣタグ２３を携帯しない入室者４１がインターホン子機３９の呼出ボタン４７を押下すると、制御装置２７の強制作動回路が作動して、少なくとも静電気除去装置２１が作動開始される。この場合、在室者は、インターホン親機で応対する。インターホン親機の通話ボタン４５は、制御装置２７における送風機１９の強制作動回路に接続されている。
【００４３】
次に、上記の構成を有する花粉除去装置１１の作用を説明する。
図３は図１に示した花粉除去装置１１の動作を説明するフローチャート、図４は入室者４１が玄関扉１３に接近したときの動作説明図、図５は入室者４１が玄関扉１３を開いたときの動作説明図である。
本実施形態に係る花粉除去装置１１では、玄関扉１３が開放されていない状態において（図３のｓｔ１）、図４に示すように、ＩＣタグ２３を携帯している入室者４１が玄関扉１３の近傍に立つと（ｓｔ２）、制御装置２７が入室者４１の接近を検出する。制御装置２７は、この入室者４１の検出によって送風機１９および静電気除去装置２１を作動させる（ｓｔ３）。
【００４４】
静電気除去装置２１が作動すると、高電圧電源によって放電電極に高電圧が印加される。高電圧が印加されると、放電電極と接地電極間でコロナ放電が発生して空気が電離され、正・負イオンが生成される。このうち除電に必要なイオンは、帯電物体の電界による帯電物体方向のクーロン力の働きと、送風機１９の送出とによって帯電物体まで輸送される。これにより、帯電物体上の電荷が中和（除電）される。除電に必要なイオンが帯電物体上に到達することで、衣服や身体の静電気と花粉等の静電気とが除去される。その結果、花粉等は、衣服や身体に吸着する力が無くなって遊離し、小さな風の力によっても容易に吹き飛ばせる（落とせる）ようになる。
【００４５】
花粉等は、静電気によって身体や衣服に付着している。理論上、人が＋（プラス）、花粉等は−（マイナス）となっている。すなわち静電気による吸着力で花粉等が付着しており、衣服を叩いても離脱し落下せずに再び静電気にて付着状態となる。また、風を当てるだけでは落ちにくい。このため、従来ではエアシャワーなどのコンプレッサーにて風圧を上げて風量を大きくする必要であった。これに対し、本実施形態に係る花粉除去装置１１は、風だけではなく、正・負イオンを浴びせる。これにより、静電気が中和されて付着の継続が解除されることになり、風は強風ではなく、緩やかに当てる程度であっても花粉等が落下する。すなわち、強い風により、入室者４１が不快となるのを避けることができる。なお、衣服の繊維に絡まるなどした花粉等については除去が困難であることから、静電気と風だけで花粉等を完全に落としきれるわけではなく、花粉除去装置１１は、花粉等の付着を低減させるためのものである。
【００４６】
図５に示すように、付着していた花粉等が低減された入室者４１が操作部材５１を操作し玄関扉１３を開く開扉操作を行うと、扉開閉検出器２５が開扉を検出し（ｓｔ４）、この開扉検出信号が制御装置２７へ送られる。制御装置２７は、開扉検出信号の入力によって送風機１９および静電気除去装置２１の作動を停止させる（ｓｔ５）。これにより、花粉等の低減された入室者４１のみが玄関へ入室でき、その後、玄関扉１３が閉められ、玄関への花粉等の侵入が効果的に阻められ抑制される。
【００４７】
また、この花粉除去装置１１では、筐体１５が戸先３７に沿って上下方向に延在していることで、起立する入室者４１の頭部から足までの全身に亘ってまんべんなく正・負イオンの吹きつけが可能となる。これにより、送風機１９から送られる風の力を小さくしながら風量を多くでき、入室者４１への不快感を軽減することができる。その結果、入室者４１に付着した全身の花粉等を効率よく除去できる。
【００４８】
また、この花粉除去装置１１では、送風機１９が駆動されると、筐体１５内の空気が筐体外部へ吹き出され、筐体１５内が負圧となる。その結果、吸気口１７からは、外部の空気が流入する。この際、外部から流入する空気は、フィルタを通過することとなり、その空気に含まれている花粉等がフィルタによって捕捉される。これにより、清浄となった空気が筐体内空気搬送空間に取り込まれる。その結果、予め花粉等が除去された清浄な空気を正・負イオンとともに入室者４１に吹き付けることができる。
【００４９】
また、この花粉除去装置１１では、在室者が居る場合、入室者４１の来訪を知った在室者により、送風機１９および静電気除去装置２１が手動で作動される。これにより、ＩＣタグ２３を携帯しない入室者４１に対しても、付着した花粉等の除去が行えるようになる。その結果、ＩＣタグ２３を携帯していない入室者４１に対し、在室者が手動で送風機１９および静電気除去装置２１を作動させ、入室者４１に付着している花粉等を除去することができる。
【００５０】
例えば、この花粉除去装置１１では、図３に示すように、ＩＣタグ２３を携帯しない入室者４１がインターホン子機３９の呼出ボタン４７を押下すると（ｓｔ６）、制御装置２７の強制作動回路が作動して、少なくとも静電気除去装置２１が作動開始される（ｓｔ７）。これにより、帯電物体上の電荷が中和（除電）され、衣服や身体の静電気と花粉等の静電気とが除去される。これと同時にタイマーがカウントを開始する（ｓｔ８）。この場合、在室者は、インターホン親機で応対する（ｓｔ９）。インターホン親機の通話ボタン４５は、制御装置２７の送風機１９の強制作動回路に接続されている。制御装置２７は、通話ボタン４５の押下を検出すると送風機１９を作動させる（ｓｔ１０）。このため、除電と、風とによる花粉等の除去が、段階的に行われ、無駄な電力の消費を抑制しながら、効率的な花粉等の除去が可能となる。そして、入室者４１が玄関扉１３を開くと、扉開閉検出器２５が開扉を検出し（ｓｔ４）、上記動作と同様に、制御装置２７は、送風機１９および静電気除去装置２１の作動を停止させる（ｓｔ５）。
【００５１】
なお、通話ボタン４５が押下されない場合、在室者不在等留守の場合には、タイマーによって所定時間後に（ｓｔ１１）、送風機１９および静電気除去装置２１の動作が自動停止される（ｓｔ５）。その結果、ＩＣタグ２３を携帯していない入室者４１に対し、手動操作を行うことなく、静電気除去装置２１を自動で作動させることができる。なお、この図３に示す例では、送風機１９と静電気除去装置２１とを分けて除電（ｓｔ７）と送風（ｓｔ１０）とを別に制御する例として示したが、インターホン子機３９の呼出ボタン４７を押下することで双方が同時に作動するように制御してもよい。
【００５２】
図６は子扉３１に花粉除去装置４９が設けられる変形例の正面図、図７は図６の平断面図である。
花粉除去装置４９は、筐体が、子扉３１に設けられてもよい。
【００５３】
この花粉除去装置４９では、玄関扉１３が親子扉２９である場合、既存の子扉３１が筐体の設置対象とすることができる。子扉３１への設置は、筐体を子扉３１に後付けしてもよく、筐体を組み込んだ新規の子扉３１を、既存の子扉３１と交換してもよい。また、花粉除去装置４９は、筐体を用いず、送風機１９および静電気除去装置２１を、子扉３１に直接設けてもよい。その結果、玄関扉１３が親子扉２９である場合、子扉３１を設置対象にして、建物への追加施工を不要にできる。
【００５４】
また、花粉除去装置は、図示は省略するが、筐体が、玄関扉１３の戸先側に設けられてもよい。この場合においても、花粉除去装置は、筐体を用いず、送風機１９および静電気除去装置２１を、玄関扉１３に戸先の一部を構成するように直接設けてもよい。
【００５５】
この花粉除去装置では、玄関扉１３が、筐体の設置対象となる。玄関扉１３への設置は、筐体を玄関扉１３に後付けしてもよく、筐体を組み込んだ新規の玄関扉を、既存の玄関扉１３と交換してもよい。その結果、玄関扉１３を設置対象にして、建物への追加施工を不要にしながら、入室者４１に付着した全身の花粉等を効率よく除去できる。筐体は、好ましくは玄関扉１３の厚み内に収まるように、各部品が配置される。玄関扉１３に組み込まれた花粉除去装置によれば、入室者４１の直近で正・負イオン、風を効率よく当てることができる。
【００５６】
従って、本実施形態に係る花粉除去装置１１，４９によれば、花粉除去室や空気清浄手段を用いない簡易な構造で、玄関入室者によって玄関へ持ち込まれる花粉等を低減できる。また、新設建物への設置のみならず既設建物への後付けも容易にすることが可能となる。
【符号の説明】
【００５７】
１１…花粉除去装置
１３…玄関扉
１５…筐体
１７…吸気口
１９…送風機
２１…静電気除去装置
２３…無線通信機（ＩＣタグ）
２５…扉開閉検出器
２７…制御装置
２９…親子扉
３１…子扉
３３…玄関開口枠
３５…外壁
３７…戸先
３９…インターホン子機
４１…入室者
４５…作動開始器（通話ボタン）
４７…呼出ボタン
【図１】
2015216047.tif 000003
【図２】
2015216047.tif 000004
【図３】
2015216047.tif 000005
【図４】
2015216047.tif 000006
【図５】
2015216047.tif 000007
【図６】
2015216047.tif 000008
【図７】
2015216047.tif 000009